(57)【要約】【課題】  簡単に製作できるにもかかわらず、別空間的広がりや精神的開放感を瞬時にしてもたらすことができる、額縁を提供する。【解決手段】  フレーム１と、フレーム１に留められる裏板２と、を備えた額縁である。ここで、フレーム１の形状は、窓状である。【選択図】          図１
2005349146.tif 000002
【特許請求の範囲】
【請求項１】
フレームと、前記フレームに留められる裏板と、を備えた額縁において、前記フレームの形状が窓状であることを特徴とする額縁。
【請求項２】
前記窓は、開閉可能な窓であることを特徴とする請求項１に記載の額縁。
【請求項３】
前記フレームには、送風手段、音響手段、または照明手段を作動させるためのセンサが取り付けられていることを特徴とする請求項１または請求項２に記載の額縁。
【請求項４】
前記フレームには、カーテンが取り付けられていることを特徴とする請求項１〜請求項３のいずれか１項に記載の額縁。
【請求項５】
前記フレームまたは前記裏板には、消臭剤または香料が付けられていることを特徴とする請求項１〜請求項４のいずれか１項に記載の額縁。
【請求項６】
請求項１〜請求項５のいずれか１項に記載の額縁において、さらに、
前記フレームと前記裏板との間に挟まれたアクリル板と、
前記アクリル板と前記裏板との間に挟まれたパネルと、
を備え、
前記パネルには、３Ｄ加工されたポスター、写真、または絵が表示されている、
ことを特徴とする額縁。
【発明の詳細な説明】
【技術分野】
【０００１】
本発明は、額縁に関する。
【背景技術】
【０００２】
従来、壁の小窓から外を眺めるような雰囲気を出す額縁として、次のような額縁が提案された（特許文献１参照）。この従来の額縁は、特許文献１に記載のように、平面作品と表面パネルとの間にスペーサーを入れるとともに、表面パネルより前面に突き出したフレームを設けることで、遠近視差による視覚的効果を与え、もって、窓越しに距離を置いて作品を眺めるといった感覚を鑑賞者にもたらそうとする。
【特許文献１】登録実用新案第３０６０３４２号公報
【発明の開示】
【発明が解決しようとする課題】
【０００３】
しかしながら、遠近視差による視覚的効果は、額縁を一定時間眺めることによって初めて得ることができるものである。したがって、上記従来の額縁では、別空間的広がりや精神的開放感を瞬時にして得ることができなかった。また、遠近視差によって良好な視覚的効果を得るためには、スペーサーの長さや、フレームの表面パネルからの突き出し具合や、スペースとフレームとの相関関係などを、十分に調整しなければならない。したがって、上記従来の額縁では、その製作に手間がかかるため、低コスト化を図ることが困難であった。
そこで、本発明は、簡単に製作できるにもかかわらず、別空間的広がりや精神的開放感を瞬時にしてもたらすことができる、額縁を提供することを目的とする。
【課題を解決するための手段】
【０００４】
本発明によれば、上記課題は、次の手段によって、解決される。
【０００５】
第１の発明は、フレームと、前記フレームに留められる裏板と、を備えた額縁において、前記フレームの形状が窓状であることを特徴とする額縁である。
【０００６】
第２の発明は、前記窓は、開閉可能な窓であることを特徴とする第１の発明に係る額縁である。
【０００７】
第３の発明は、前記フレームには、送風手段、音響手段、または照明手段を作動させるためのセンサが取り付けられていることを特徴とする第１の発明または第２の発明に係る額縁である。
【０００８】
第４の発明は、前記フレームには、カーテンが取り付けられていることを特徴とする第１の発明〜第３の発明のいずれか１つに係る額縁である。
【０００９】
第５の発明は、前記フレームまたは前記裏板には、消臭剤または香料が付けられていることを特徴とする第１の発明〜第４の発明のいずれか１つに係る額縁である。
【００１０】
第６の発明は、第１の発明〜第５の発明のいずれか１つに係る額縁において、さらに、前記フレームと前記裏板との間に挟まれたアクリル板と、前記アクリル板と前記裏板との間に挟まれたパネルと、を備え、前記パネルには、３Ｄ加工されたポスター、写真、または絵が表示されている、ことを特徴とする額縁である。
【発明の効果】
【００１１】
本発明によれば、フレームの形状が窓状であるため、鑑賞者に対して、遠近視差による視覚的効果ではなく、額縁が窓であるとの錯覚が与えられる。この錯覚は、フレームの形状が窓状であることに起因するため、瞬時にして生じるものである。したがって、本発明によれば、別空間的広がりや精神的開放感を瞬時にしてもたらすことができる。
【００１２】
また、本発明に係る額縁は、フレームの形状を窓状とすることによって、簡単に製作できる。したがって、本発明によれば、従来の額縁における調整のような作業が不要となるため、低コスト化を図ることができるようになる。
【発明を実施するための最良の形態】
【００１３】
以下に、添付した図面を参照しつつ、本発明を実施するための最良の形態を詳細に説明する。
【００１４】
図１は本発明の実施の形態に係る額縁の斜視図（その１）であり、図２は本発明の実施の形態に係る額縁（その１）の正面図および裏面図である。
図１および図２に示すように、本発明の実施の形態に係る額縁（その１）は、観音開きの窓状であるフレーム１と裏板２とアクリル板３とを備えており、アクリル板３と裏板２の間には、写真やポスターなどを表示するパネル４が挟まれている。また、図２の正面図に示すように、フレーム１には、鑑賞者に対してより一層の錯覚を与えるように、取手５が設けられている。また、図２に示すように、裏板２は、フレーム１の裏面に設けられた留具６によって、フレーム１に留められている。また、図２に示すように、フレーム１の裏面には、吊具７が設けられており、この吊具７には、本発明の実施の形態に係る額縁（その１）を吊るせるように、紐８が掛けられている。
【００１５】
図３は本発明の実施の形態に係る額縁（その２）の正面図および裏面図である。
図３に示すように、本発明の実施の形態に係る額縁（その２）は、上げ下げ窓状であるフレーム１と裏板２とアクリル板３とを備えており、アクリル板３と裏板２の間には、写真やポスターなどを表示するパネル４が挟まれている。また、図３の正面図に示すように、フレーム１には、鑑賞者に対してより一層の錯覚を与えるように、引手９が設けられている。また、図３に示すように、裏板２は、フレーム１の裏面に設けられた留具６によって、フレーム１に留められている。また、図３に示すように、フレーム１の裏面には、吊具７が設けられており、この吊具７には、本発明の実施の形態に係る額縁を吊るせるように、紐８が掛けられている。
【００１６】
図４は本発明の実施の形態に係る額縁（その３）の斜視図であり、図５は本発明の実施の形態に係る額縁（その３）を開いた様子を示す斜視図であり、図６は本発明の実施の形態に係る額縁（その３）の正面図、裏面図、縦断面図、および横断面図である。
図４〜図６に示すように、本発明の実施の形態に係る額縁（その３）は、開閉可能な観音開きの窓状のフレーム１と裏板２とアクリル板３とを備えている。フレーム１は、フレーム枠１−１とフレーム面１−２、１−３とからなり、フレーム面１−２、１−３は、蝶番などの金具１−４によってフレーム枠１−１に対し回動自在に取付けられている。フレーム面１−２、１−３には、アクリル板３−１、３−２がそれぞれ取付けられている。また、フレーム面１−２、１−３には、裏板２−１、２−２が留具６によってそれぞれ取付けられている。また、アクリル板３−１と裏板２−１との間には写真やポスターなどを表示するパネル４−１が挟まれており、アクリル板３−２と裏板２−２との間には写真やポスターなどを表示するパネル４−２が挟まれている。フレーム面１−２、１−３に取付けられているアクリル板３−１、３−２や裏板２−１、２−２やパネル４−１、４−２は、フレーム面１−２、１−３を押しまたは引くと、これと一体になって動く（図５参照）。したがって、本発明の実施の形態に係る額縁（その３）によれば、額縁全体を動かさなくても、フレーム面１−２、１−３を押しまたは引くだけで、フレーム１側と裏板２側との空間を開通させることができる。よって、本発明の実施の形態に係る額縁（その３）を、諸事情によって布や紙などによって遮光せざるを得ない本物の窓がある場所に取付ければ、遮光のために布や紙が貼り付けられて醜くなった窓を美しく飾ることができるとともに、額縁全体を動かさなくてもフレーム面１−２、１−３を押しまたは引くだけで額縁の裏にある建物に取付けられた本物の窓を開閉できるようになるため、室内換気を短時間で容易に行うことができる。
また、諸事情によって布や紙などによって遮光せざるを得ない本物の窓がある場所に取付ける装飾品は、室内換気の際に多かれ少なかれ邪魔になるところ、本発明の実施の形態に係る額縁（その３）は、フレーム面１−２、１−３に取付けられているアクリル板３−１、３−２や裏板２−１、２−２やパネル４−１、４−２が、フレーム面１−２、１−３を押しまたは引くと、これと一体になって動くため（図５参照）、本物の窓がある場所に取付けてもほとんど邪魔にならない。したがって、本発明の実施の形態に係る額縁（その３）は、諸事情によって布や紙などによって遮光せざるを得ない本物の窓がある場所に取付けることが実用上可能な、数少ないあるいは現時点では唯一の装飾品である。
なお、フレーム１には、鑑賞者に対してより一層の錯覚を与えるように、取手５が設けられている。
また、本発明の実施の形態に係る額縁（その３）は、本発明の実施の形態に係る額縁（その１）や（その２）と同様に、吊具と紐とを用いて壁に吊るすことができるが、フレーム枠１−１を壁にビス止めすることによって固定することもできる。
【００１７】
なお、上述した本発明の実施の形態に係る額縁（その１、その２、その３）においては、本発明の理解を容易にするため、フレーム１の形状である窓の種類を、観音開きの窓や、上げ下げ窓や、開閉可能な観音開きの窓としたが、本発明は、フレーム１の形状である窓の種類を限定するものではない。したがって、フレーム１の形状は、上記したもののほか、回転窓状やすべりだし窓状や引き違い窓状やルーバー窓状などとすることもできる。
【００１８】
なお、フレーム１には、送風手段、音響手段、または照明手段を作動させるためのセンサを設けることができる。このようなセンサをフレーム１に設けた場合には、本発明の実施の形態に係る額縁や本発明の実施の形態に係る額縁が飾られている部屋などに、センサからの信号によって作動する送風手段や音響手段や照明手段を設けることによって、鑑賞者が本発明の実施の形態に係る額縁に近づいた場合に、本発明の実施の形態に係る額縁や本発明の実施の形態に係る額縁が飾られた部屋から、風や音や光が発することが可能となり、本発明の実施の形態に係る額縁が窓であるとの錯覚を、鑑賞者に対してより一層与えることができるようになる。
【００１９】
また、図７に示すように、フレーム１にカーテンレール１１を取り付けて、このカーテンレール１１にカーテン１０を取り付けることもできる。このようにすれば、本発明の実施の形態に係る額縁が窓であるとの錯覚を、鑑賞者に対してより一層与えることができるようになる。なお、カーテン１０を取り付けた上で、裏板２からフレーム１の方向に常時または一定時間間隔で送風を行うこととすれば、カーテン１０が風によって揺れるため、本発明の実施の形態に係る額縁が窓であるとの錯覚を、鑑賞者に対してより一層与えることができるようになる。また、このカーテン１０の揺れと音響手段による音（たとえば、小鳥の鳴き声、森が揺れる音など）とを同期させれば、額縁が窓であるとの錯覚を、鑑賞者に対してより一層与えることができるようになる。
【００２０】
また、本発明の実施の形態に係る額縁においては、フレーム１または裏板２に、香料を付けることもできる。したがって、本発明によれば、部屋の消臭や香付けを鑑賞者に意識させることなく実行することができるようになる。
【００２１】
また、本発明の実施の形態においては、フレーム１と裏板２との間に、パネル４を汚れにくくするとともに、立体感と明るさをもたらすアクリル板３を設けたが、本発明においては、このアクリル板３を設けない構成とすることもできる。アクリル板３を設けない構成とすれば、設けるとした場合よりも、より一層の低コスト化を図ることができるようになる。
【００２２】
なお、本発明の実施の形態においては、フレーム１や裏板２の色や材質や大きさや形などを、部屋の雰囲気と調和させることによって、額縁が窓であるとの錯覚を、鑑賞者に対してより一層与えることができるようになる。
【００２３】
また、本発明におけるパネル４には、写真や絵画などを表示する部材や板などのみならず、写真や絵画などそれ自体も含まれる。なお、写真や絵などを３Ｄ加工すれば、額縁が窓であるとの錯覚を、鑑賞者に対してより一層与えることができるようになる。
【産業上の利用可能性】
【００２４】
本発明に係る額縁は、あらゆる場所で使用できるが、特に、窓が設けられていないような密室性の高いホテルやワンルームマンションなどでの使用に適している。
【図面の簡単な説明】
【００２５】
【図１】本発明の実施の形態に係る額縁（その１）の斜視図である。
【図２】本発明の実施の形態に係る額縁（その１）の正面図および裏面図である。
【図３】本発明の実施の形態に係る額縁（その２）の正面図および裏面図である。
【図４】本発明の実施の形態に係る額縁（その３）の斜視図である。
【図５】本発明の実施の形態に係る額縁（その３）を開いた様子を示す斜視図である。
【図６】本発明の実施の形態に係る額縁（その３）の正面図、裏面図、縦断面図、および横断面図である。
【図７】本発明の実施の形態に係る額縁にカーテンを取り付けた様子を示す図である。
【符号の説明】
【００２６】
１    フレーム
１−１    フレーム枠
１−２、１−３    フレーム面
２、２−１、２−２    裏板
３、３−１、３−２    アクリル板
４、４−１、４−２    パネル
５    取手
６    留具
７    吊具
８    紐
９    引手
１０    カーテン
１１    カーテンレール
【図４】
2005349146.tif 000003
【図５】
2005349146.tif 000004
【図６】
2005349146.tif 000005
【図１】
2005349146.tif 000006
【図２】
2005349146.tif 000007
【図３】
2005349146.tif 000008
【図７】
2005349146.tif 000009